(57)【要約】【課題】脱水工程時の水槽から筐体への振動伝達を低減する。【解決手段】筐体１内に設けた水槽２と、水槽２内に回転可能に設けたドラム３と、ドラム３を回転駆動するモータ１０とを備え、水槽２は、筐体１に固着した水槽前部１２と、筐体１に弾性支持した水槽後部１３を有し、水槽前部１２に形成した後方開口部１２ａと水槽後部１３に形成した前方開口部１３ａをパッキン１４によりシール結合し、水槽前部１２を水槽後部１３より径大に形成したことにより、脱水工程時の水槽２から筐体１への振動伝達を低減するものである。【選択図】図１
2012105846.tif 000002
【特許請求の範囲】
【請求項１】
筐体と、前記筐体内に設けた水槽と、前記水槽内に回転可能に設けたドラムと、前記ドラムを回転駆動するモータとを備え、前記水槽は、前記筐体に固着した水槽前部と、前記筐体に弾性支持した水槽後部を有し、前記水槽前部に形成した後方開口部と前記水槽後部に形成した前方開口部をパッキンによりシール結合し、前記水槽前部を前記水槽後部より径大に形成したドラム式洗濯機。
【請求項２】
水槽前部に形成した後方開口部の端面と、水槽後部に形成した前方開口部の端面を離間させて構成した請求項１記載のドラム式洗濯機。
【請求項３】
水槽前部に水溜部を設け、前記水溜部は、水槽後部の底面より下方に排水口を備えた請求項１または２記載のドラム式洗濯機。
【請求項４】
水槽前部に水溜部を設け、前記水溜部に洗濯水を加熱するヒータを設けた請求項１〜３のいずれか１項に記載のドラム式洗濯機。
【発明の詳細な説明】
【技術分野】
【０００１】
本発明は、衣類等の洗濯物を洗うドラム式洗濯機に関するものである。
【背景技術】
【０００２】
従来、この種のドラム式洗濯機は、図４に示すような構成が一般的である。図４において、水槽５１内に設けたドラム５２の回転軸５３を水槽５１の背面に設けた軸受部５４で軸支するとともに、回転軸５３に取り付けたプーリー５５にベルト５６を介してモータ５７の回転を伝達し、ドラム５２を回転させるようにしている。水槽５１とドラム５２は有底筒状に設けられており、ドラム５２の回転軸５３を略水平方向にして筐体５８内に配設している。水槽５１は、筐体５８の基底部５９に取り付けられた左右一対の防振ダンパー６０によって下方から支持され、筐体５８の上部から張架したコイルばね６１によって弾性支持されている。
【０００３】
脱水工程において、洗濯物を収容したドラム５２を高速回転させると、洗濯物がドラム５２内で偏りアンバランスが発生する。ドラム５２内の洗濯物がアンバランス状態になると、ドラム５２を内包している水槽５１に大きな振動が発生する。このドラム５２の回転に伴う振動を抑制するために、水槽５１を減衰定数の大きい防振ダンパー６０によって防振支持して振動振幅を低減するとともに、水槽５１の前部に錘６２を付加することが考えられている（例えば、特許文献１参照）。
【０００４】
また、前後に分割された前水槽と後水槽を結合して水槽を構成し、前水槽に減衰装置を設けることが考えられている（例えば、特許文献２参照）。
【先行技術文献】
【特許文献】
【０００５】
【特許文献１】特開平６−３２７８９２号公報
【特許文献２】特開２００１−１７０３８９号公報
【発明の概要】
【発明が解決しようとする課題】
【０００６】
しかしながら、前記従来の構成では、脱水工程において、洗濯物のアンバランスがドラム５２内の前方と後方に分布し、ドラム５２の回転数が高くなるにしたがって、ドラム５２が軸支部を基点に振れ回りが生じる。水槽５１の背面にドラム５２の軸受部５４を固定した構成では、ドラム５２の振れ回りによってドラム５２の前面側の振幅が大きくなり、水槽５１の内周面との間に十分な空間が必要であることから、水槽５１が大型化し筐体５８との隙間が小さくなる。その結果、水槽５１の振動範囲を小さくすべく防振ダンパーの減衰力を上げると、水槽５１から筐体５８への振動伝達量が増加し、筐体５８の振動が大きくなるという問題があった。
【０００７】
本発明は、前記従来の課題を解決するもので、脱水工程時の水槽から筐体への振動伝達を低減したドラム式洗濯機を提供することを目的とする。
【課題を解決するための手段】
【０００８】
前記従来の課題を解決するために、本発明のドラム式洗濯機は、筐体内に設けた水槽と、前記水槽内に回転可能に設けたドラムと、前記ドラムを回転駆動するモータとを備え、前記水槽は、前記筐体に固着した水槽前部と、前記筐体に弾性支持した水槽後部を有し、前記水槽前部に形成した後方開口部と前記水槽後部に形成した前方開口部をパッキンによ
りシール結合し、前記水槽前部を前記水槽後部より径大に形成したものである。
【０００９】
これによって、水槽後部でドラムの外周面との隙間を小さくすることができ、水槽後部の外郭を小さくして筐体との隙間を大きくすることができる。
【発明の効果】
【００１０】
本発明のドラム式洗濯機は、水槽後部と筐体との隙間を大きくして、水槽後部の振動を減衰する防振ダンパーの減衰力を小さくすることができ、脱水工程時の水槽から筐体への振動伝達を低減することができる。
【図面の簡単な説明】
【００１１】
【図１】本発明の実施の形態１におけるドラム式洗濯機の側面断面図
【図２】同ドラム式洗濯機の一部切欠した要部斜視図
【図３】同ドラム式洗濯機の要部正面断面図
【図４】従来のドラム式洗濯機の断面図
【発明を実施するための形態】
【００１２】
第１の発明は、筐体と、前記筐体内に設けた水槽と、前記水槽内に回転可能に設けたドラムと、前記ドラムを回転駆動するモータとを備え、前記水槽は、前記筐体に固着した水槽前部と、前記筐体に弾性支持した水槽後部を有し、前記水槽前部に形成した後方開口部と前記水槽後部に形成した前方開口部をパッキンによりシール結合し、前記水槽前部を前記水槽後部より径大に形成したことにより、水槽後部でドラムの外周面との隙間を小さくすることができ、水槽後部の外郭を小さくして筐体との隙間を大きくすることができる。したがって、脱水工程において、ドラムの振れ回りから生じる水槽後部の振動を減衰する防振ダンパーの減衰力を小さくすることができ、水槽から筐体への振動伝達を低減しドラム式洗濯機全体の振動騒音を抑制することができる。
【００１３】
第２の発明は、特に、第１の発明の水槽前部に形成した後方開口部の端面と、水槽後部に形成した前方開口部の端面を離間させて構成したことにより、振動によって水槽後部が上下左右方向、および前後方向に変位した場合でも、水槽前部との接触を防止することができ、筐体に固着した水槽前部への振動伝達を防止して筐体の振動を抑制することができる。
【００１４】
第３の発明は、特に、第１または第２の発明の水槽前部に水溜部を設け、前記水溜部は、水槽後部の底面より下方に排水口を備えたことにより、水槽内の洗濯水を迅速に排水することができる。
【００１５】
第４の発明は、特に、第１〜第３のいずれか１つの発明の水槽前部に水溜部を設け、前記水溜部に洗濯水を加熱するヒータを設けたことにより、水溜部が筐体に固着された水槽前部に設けられているため、大電流が流れるヒータの電気的接続部等にかかる振動を低減することができ、安全性を向上することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるドラム式洗濯機の側面断面図、図２は、同ドラム式洗濯機の一部切欠した要部斜視図、図３は、同ドラム式洗濯機の要部正面断面図である。
【００１８】
図１〜図３において、ドラム式洗濯機の外郭を形成する筐体１内に、洗濯水を溜める水槽２を配設している。水槽２内には洗濯物を収容する有底筒状のドラム３が回転可能に設けられている。ドラム３の内周壁面には、複数のバッフル４と水槽２内と連通する多数の小孔５が設けられ、前面側には洗濯物を出し入れする開口部６が設けられている。
【００１９】
ドラム３には、ドラム３を回転支持する回転軸７と、回転軸７を支持する軸受部８と、回転軸７に固着したプーリー９が同軸上に取り付けられており、水槽２に取り付けられたモータ１０の回転動力は、ベルト１１を介して回転軸７に伝達され、ドラム３を回転駆動する。回転軸７は略水平方向に設定されている。
【００２０】
水槽２は、前部を筐体１の前面部１ａに固着し、下部を筐体１の基底部１ｂに固定して筐体１の前面側に配設した水槽前部１２と、筐体１に弾性支持して筐体１の背面側に配設した水槽後部１３を有し、前後に分離して形成された水槽前部１２と水槽後部１３で水槽２を構成している。
【００２１】
水槽前部１２の後面側に後方開口部１２ａを形成し、水槽後部１３の前面側に前方開口部１３ａを形成している。後方開口部１２ａの周縁と、前方開口部１３ａの周縁を環状のパッキン１４によりシール結合している。パッキン１４の断面は略Ｓ字状に屈曲して形成されており、ドラム３の振れ回りによる水槽後部１３の振動により、水槽前部１２と水槽後部１３間の位置ずれを弾性変形して水漏れを防止する。
【００２２】
水槽前部１２の直径を水槽後部１３の直径より径大に形成し、水槽前部１２の後方開口部１２ａを、水槽後部１３の前方開口部１３ａより大きく形成している。運転時にドラム３が振れ回ることで、ドラム３の前面側先端部３ａの外周面と、水槽前部１２の前面に設けた投入口２４側の内周面との隙間イを大きくとることができる。
【００２３】
水槽前部１２に形成した後方開口部１２ａの端面と、水槽後部１３に形成した前方開口部１３ａの端面は、所定の距離Ｌを隔てて離間させてあり、弾性支持された水槽後部１３の振動によって水槽後部１３が上下左右方向、および前後方向に変位した場合でも、前方開口部１３ａの端面が水槽前部１２に当接するのを防止する。
【００２４】
水槽前部１２は、前面側にドラム３内へ洗濯物を投入する投入口２４が設けてあり、また、水槽前部１２の下部には、水溜部１５を設けて洗濯水を加熱するヒータ１６が配設され、水溜部１５の最下面部に排水口１７が設けられている。
【００２５】
水槽後部１３は、水槽後部１３の背面部１３ｂに軸受部８を設け、水槽後部１３の下部１３ｃにモータ１０を取り付けている。また、水槽後部１３は、筐体１の上部１ｃから伸縮自在なコイルばね１８により弾性支持され、下端を筐体１の基底部１ｂに取り付けた防振ダンパー１９により、下方から減衰支持されている。
【００２６】
また、投入口２４を開閉する開閉自在な蓋２０が投入口２４に対向して筐体１に設けられており、この蓋２０を開閉してドラム３への洗濯物の出し入れをおこなうとともに、筐体１と水槽前部１２との間に設けられた窓パッキン２１により、蓋２０と水槽前部１２をシールして機外への水漏れを防止する。
【００２７】
筐体１の外部から給水部２２に導入される洗濯水は、水槽２内に供給され、小孔５を通してドラム３内へも供給される。また、モータ１０の回転駆動は、ベルト１１およびプーリー９を介して回転軸７に伝達され、ドラム３を正逆回転させる。制御手段２３は、モータ１０およびヒータ１６等を制御し、洗い、すすぎ、脱水等の各工程を制御する。
【００２８】
以上のように構成されたドラム式洗濯機について、以下その動作、作用を説明する。洗濯時は、まず、蓋２０を開いてドラム３内に洗濯物と洗剤を投入して運転を開始すると、投入された洗濯物の量が検知された後、給水部２２から水槽２内に洗濯水が給水され、水槽前部１２の下部に設けた水溜部１５から洗濯水が溜まり始める。洗濯水は、投入された洗濯物の量に応じて予め設定された所定の水位まで給水されると給水を停止する。
【００２９】
制御手段２３は、選択された運転コースを実行し、モータ１０によりドラム３を所定の回転数で正逆回転させ、ドラム３内の洗濯物をバッフル４により持ち上げて落下させる叩き洗いを所定時間おこなう。図示しない温度検知手段により検知された洗濯水の温度が低い場合は、ヒータ１６に通電して洗濯水を加熱し、温水にすることで洗浄効果を高めることができる。
【００３０】
洗い工程後、排水口１７から洗濯水を排水した後におこなわれる中間脱水工程、および複数回のすすぎの間におこなわれる中間脱水工程、さらに、すすぎ工程後におこなわれる最終脱水工程が実行される。一般的に、最終脱水工程でのドラム３の回転数が最も高く設定される。これらの脱水工程は、モータ１０の回転数を上昇させ、ドラム３の回転数を上げていくことで、洗濯物に含まれた洗濯水を遠心力により脱水し、洗濯を終了する。
【００３１】
脱水工程において、ドラム３内の洗濯物にアンバランスが生じると、ドラム３が軸支部を基点（Ｐ）に振れ回るため、ドラム３の前面側の振幅が大きくなる。水槽前部１２を水槽後部１３より径大に形成したことにより、ドラム３の前面側先端部３ａの外周面と、水槽前部１２の前面に設けた投入口２４側の内周面との隙間イを大きくとることができる。
【００３２】
これによって、ドラム３の外周面と、ドラム３の後部を収容する水槽後部１３の内周面との隙間ロを小さくすることができ、水槽後部１３の外郭を小さくして筐体１との左右方向の隙間ハを大きくとることができる。
【００３３】
したがって、脱水工程において、ドラム３の振れ回りから生じる水槽後部１３の振動を減衰する防振ダンパー１９の減衰力を小さくすることができ、水槽後部１３の振動の防振ダンパー１９から筐体１への伝達量を低減し、ドラム式洗濯機全体の振動と騒音を低減することができる。
【００３４】
また、水槽前部１２に形成した後方開口部１２ａの端面と、水槽後部１３に形成した前方開口部１３ａの端面を、所定の距離Ｌを隔てて離間させてあり、弾性支持された水槽後部１３の振動により水槽後部１３が上下左右方向、および前後方向に変位した場合でも、前方開口部１３ａの端面が水槽前部１２に当接するのを防止することができ、筐体１に固着した水槽前部１２への振動伝達を防止して、筐体１の振動を抑制することができる。
【００３５】
また、水槽前部１２に水溜部１５を設け、この水溜部１５に水槽後部１３の底面より下方に排水口１７を設けたものであり、床面から排水口１７までの高さを低く設定することができ、水槽内の洗濯水を迅速に排水することができる。
【００３６】
また、水槽前部１２に水溜部１５を設け、この水溜部１５に洗濯水を加熱するヒータ１６を設けたものであり、水溜部１５が筐体１に固着された水槽前部１２に設けられているため、大電流が流れるヒータ１６の電気的接続部等にかかる振動を低減することができ、安全性を向上することができる。
【産業上の利用可能性】
【００３７】
以上のように、本発明にかかるドラム式洗濯機は、水槽後部と筐体との隙間を大きくして、水槽後部の振動を減衰する防振ダンパーの減衰力を小さくすることができ、脱水工程
時の水槽から筐体への振動伝達を低減することができるので、ドラム式洗濯機として有用である。
【符号の説明】
【００３８】
１  筐体
２  水槽
３  ドラム
１０  モータ
１２  水槽前部
１２ａ  後方開口部
１３  水槽後部
１３ａ  前方開口部
１４  パッキン
【図１】
2012105846.tif 000003
【図３】
2012105846.tif 000004
【図４】
2012105846.tif 000005
【図２】
2012105846.tif 000006